(57)【要約】      （修正有）【課題】人体の患部に対する治療効果を向上させることができる磁気治療器を提供する。【解決手段】本考案の磁気治療器１は、可撓性基板２と、可撓性基板２の一方の表面Ｓａに設置される平板状の第一磁性体３ａと、一方の表面Ｓａに設置され、第一磁性体３ａの周囲に沿って螺旋状に巻き回される第一コイル４ａと、を備える。これにより、可撓性基板２及び第一コイル４ａを人体にフィットさせて装着できるとともに、第一磁性体３ａの表面近傍の磁束密度を増加させることができる。【選択図】図１
0003211124.tif 000002
【実用新案登録請求の範囲】
【請求項１】
可撓性基板と、
前記可撓性基板の一方の表面に設置される平板状の第一磁性体と、
前記一方の表面に設置され、前記第一磁性体の周囲に沿って螺旋状に巻き回される第一コイルと、を備える磁気治療器。
【請求項２】
前記可撓性基板の他方の表面に設置され、前記第一磁性体に対向して設置される平板状の第二磁性体と、
前記他方の表面に設置され、前記第二磁性体の周囲に沿って螺旋状に巻き回される第二コイルと、を備える請求項１に記載の磁気治療器。
【請求項３】
前記一方の表面の垂直方向から見る平面視において、
前記第一コイルの外周から内周に向かう回転の向きと、前記第二コイルの内周から外周に向かう回転の向きとが同じであり、
前記第一コイルの内周端と前記第二コイルの内周端とが、前記可撓性基板を貫通する貫通電極を介して電気的に接続される、請求項２に記載の磁気治療器。
【請求項４】
前記第一磁性体及び前記第一コイルから成るコイルユニットが、前記一方の表面に複数設置される、請求項１〜３のいずれか一項に記載の磁気治療器。
【請求項５】
複数の前記コイルユニットを所定の順序でオンオフ制御する駆動部を備える請求項４に記載の磁気治療器。
【考案の詳細な説明】
【技術分野】
【０００１】
本考案は、電流が供給されるコイル部に発生する磁場により、筋肉疲労等を癒す磁気治療器に関する。
【背景技術】
【０００２】
従来から、ベスト等の着衣にコイルを設置し、コイルに交流電流を供給して交番磁場を発生させ、ベストを装着している人体に照射して患部を治療する磁気治療機器が知られている。
【０００３】
例えば、特許文献１には、図６に示す高周波磁気治療器１００が記載されている。高周波磁気治療器１００は、高周波を生成する高周波ユニット１１０と、磁場を発生するコイルパターン１１３と、コイルパターン１１３が設置されるフレキシブルな基材からなるコイル部１１１と、コイル部１１１に設置されるコネクタ端子１１４と、を備える。
【０００４】
コネクタ端子１１４を高周波ユニット１１０の端子挿入孔１１２に挿入し、高周波ユニット１１０から各コイルパターン１１３に高周波電流を供給する。これにより、各コイルパターン１１３は磁場を発生する。コイル部１１１はフレキシブルな基材を用いるので、人体にフィットし、コイルパターン１１３により発生する磁場が効率よく人体の患部に作用する。
【０００５】
また、特許文献２には、つぼ治療具が記載されている。つぼ治療具は、薄板状のシート部材と、このシート部材の下面に突設される導電性の小突起と、シート部材の下面であり小突起の周りに設置される粘着部と、シート部材の上面であり螺旋状に巻き回して構成される導電性材料と、を備える。
【０００６】
小突起は、シート部材を下方の所定の高さに突出させ、その窪みにステンレス、金或いは銀等の導電性材料からなるプラグ部材が嵌入される。導電性材料は、ステンレス、金、銀等の導電性の線条材、或いはパターン印刷又は蒸着等により形成する導電パターンから成り、双曲螺旋状に巻き回されて内端がプラグ部材に導通する。従って、粘着部を人体のつぼの箇所に貼り付けると、小突起が人体のつぼを押圧し続けるとともに、人体のつぼに電気的作用を及ぼすことができる。
【先行技術文献】
【特許文献】
【０００７】
【特許文献１】特開平６−３３９５３４号公報
【特許文献１】実開平７−２７６０６号公報
【考案の概要】
【考案が解決しようとする課題】
【０００８】
特許文献１では、コイルの中心に心材が設置されていない。そのため、コイルの中心に効率よく強い磁場を生成することが難しい。また、特許文献２では、下面から突出する小突起が存在するので、人体に平面的にフィットさせるのが難しい。本考案によれば、人体に平面的にフィットして強い磁場を照射可能とする磁気治療器を提供することができる。
【課題を解決するための手段】
【０００９】
本考案の磁気治療器は、可撓性基板と、前記可撓性基板の一方の表面に設置される平板状の第一磁性体と、前記一方の表面に設置され、前記第一磁性体の周囲に沿って螺旋状に巻き回される第一コイルと、を備えることとした。
【００１０】
また、本考案の磁気治療器は、前記可撓性基板の他方の表面に設置され、前記第一磁性体に対向して設置される平板状の第二磁性体と、前記他方の表面に設置され、前記第二磁性体の周囲に沿って螺旋状に巻き回される第二コイルと、を備えることとした。
【００１１】
また、本考案の磁気治療器は、前記一方の表面の垂直方向から見る平面視において、前記第一コイルの外周から内周に向かう回転の向きと、前記第二コイルの内周から外周に向かう回転の向きとが同じであり、前記第一コイルの内周端と前記第二コイルの内周端とが、前記可撓性基板を貫通する貫通電極を介して電気的に接続されることとした。
【００１２】
また、本考案の磁気治療器は、前記第一磁性体及び前記第一コイルから成るコイルユニットが、前記一方の表面に設置されることとした。
【００１３】
また、本考案の磁気治療器は、複数の前記コイルユニットを所定の順序でオンオフ制御する駆動部を備えることとした。
【考案の効果】
【００１４】
本考案の磁気治療器は、可撓性基板と、可撓性基板の一方の表面に設置される平板状の第一磁性体と、一方の表面に設置され、第一磁性体の周囲に沿って螺旋状に巻き回される第一コイルと、を備える。これにより、可撓性基板及び第一コイルを人体にフィットさせて装着できるとともに、第一磁性体の表面近傍の磁束密度が増加するので、人体の患部に対する治療効果を向上させることができる。
【図面の簡単な説明】
【００１５】
【図１】本考案の第一実施形態に係る磁気治療器の説明図である。
【図２】本考案の第二実施形態に係る磁気治療器の説明図である。
【図３】本考案の第三実施形態に係る磁気治療器の模式的な斜視図である。
【図４】本考案の第四実施形態に係る磁気治療器のブロック図である。
【図５】本考案の第五実施形態に係る磁気治療器を人体に装着している様子を表す模式図である。
【図６】公知の高周波磁気治療器の斜視図である。
【考案を実施するための形態】
【００１６】
（第一実施形態）
図１は、本考案の第一実施形態に係る磁気治療器１の説明図である。図１（ａ）は、磁気治療器１の平面模式図であり、図１（ｂ）は、磁気治療器１の部分ＰＰの縦断面模式図である。磁気治療器１は、可撓性基板２と、可撓性基板２の一方の表面Ｓａに設置される平板状の第一磁性体３ａと、可撓性基板２の一方の表面Ｓａに設置され、第一磁性体３ａの周囲に沿って螺旋状に巻き回される第一コイル４ａと、を備える。可撓性基板２の一方の表面Ｓａに平面状の第一コイル４ａ及び平板状の第一磁性体３ａが設置されるので、可撓性基板２を人体にフィットさせて装着することができる。
【００１７】
更に、第一コイル４ａに第一磁性体３ａからなる平板状の心材を設置するので、第一磁性体３ａの表面近傍であり、第一磁性体３ａの表面（つまり、可撓性基板２の一方の表面Ｓａと平行な表面）に垂直な方向の磁束密度（以下、単に第一磁性体３ａ近傍の磁束密度という）が増加する。その結果、人体に強い磁場を照射することができ、治療効果を向上させることができる。なお、第一コイル４ａと第一磁性体３ａはコイルユニット１０を構成する。以下、具体的に説明する。
【００１８】
可撓性基板２として、フレキシブルに変形可能な基板を使用する。可撓性基板２を着衣や人体の表面に貼り付けると、可撓性基板２は着衣や人体の表面に沿って変形する。これにより、第一コイル４ａや第一磁性体３ａが人体表面に接近し、人体の患部に効率よく磁場を照射することができる。可撓性基板２としてポリイミドフィルム、その他の合成樹脂フィルムを使用することができる。例えば、ポリイミドから成るフレキシブルプリント基板を使用することができる。
【００１９】
第一磁性体３ａは常磁性体、強磁性体或いは反磁性体から成る。第一磁性体３ａは平板状であり、一方の表面Ｓａの垂直方向から見る平面視で長方形を有する。第一磁性体３ａは、可撓性基板２の一方の表面Ｓａに図示しない接着剤等を用いて固定される。
【００２０】
第一磁性体３ａとして、例えば鉄、コバルト、ニッケル或いはこれらの合金を使用することができる。第一磁性体３ａを薄く形成すれば変形可能となる。なお、第一磁性体３ａは、一方の表面Ｓａの垂直方向から見る平面視で長方形であることに限定されず、円形、楕円形、多角形等の曲線又は直線で囲まれる形であればよい。
【００２１】
第一コイル４ａは、第一磁性体３ａの外周に沿って螺旋状に巻き回されて、可撓性基板２の一方の表面Ｓａに設置される。例えば、表面に銅箔が形成されるフレキシブルプリント基板を用い、フォトプロセス及びエッチング処理を行って螺旋状の銅箔パターンからなる第一コイル４ａを形成することができる。
【００２２】
また、可撓性基板２の一方の表面Ｓａに導電材料を印刷して、導電パターンからなる第一コイル４ａを形成することができる。第一コイル４ａは平面状のコイルなので、可撓性基板２とともに容易に変形する。なお、第一コイル４ａは、一方の表面Ｓａの垂直方向から見る平面視で長方形であることに限定されず、円形、楕円形、多角形等の曲線又は直線で囲まれる形であればよい。
【００２３】
図１（ａ）に示すように、可撓性基板２は、更に、２つの電極端子６ａ、６ｂを含む接続部１１と、可撓性基板２の一方の表面Ｓａから他方の表面Ｓｂに貫通する２つの貫通電極５ａ、５ｂと、を備える。一方の電極端子６ａは、第一コイル４ａの外周端に電気的に接続する。他方の電極端子６ｂは、貫通電極５ａ、他方の表面Ｓｂに設置される配線１３、及び貫通電極５ｂを介して第一コイル４ａの内周端に電気的に接続する。
【００２４】
２つの電極端子６ａ、６ｂに交流電流を供給すると、第一コイル４ａに交番磁場が発生する。これに伴って、第一磁性体３ａには、その表面の垂直方向及びその反対方向に向きが反転する交番磁場が生成される。例えば、第一磁性体３ａとして鉄を使用すれば、第一磁性体３ａを設置しないときや、非磁性体を設置するときと比べて、第一磁性体３ａ近傍の磁束密度が増加し、強い磁場を生成することができる。
【００２５】
なお、図１に示す磁気治療器１は、可撓性基板２の横幅が約６３ｍｍ、縦幅が約３４ｍｍ、厚さが約０．３ｍｍであり、第一磁性体３ａの横幅が約２０ｍｍ、縦幅が約１０ｍｍ、厚さが約０．３ｍｍである。しかし、本考案において、各部材は上記寸法に限定されず、上記寸法よりも大きく形成してもよいし、小さく形成してもよい。
【００２６】
また、可撓性基板２の一方の表面Ｓａ又は他方の表面Ｓｂに接着手段を設けることができる。例えば接着手段として粘着剤を使用し、粘着剤を介して可撓性基板２を人体に直接貼り付けることができる。可撓性基板２は人体の皮膚面に沿って変形し、第一コイル４ａと第一磁性体３ａを人体の患部に接近させることができる。これにより、人体の患部に磁場を効率よく照射することができ、治療効果を向上させることができる。
【００２７】
また、磁気治療器１を着衣等に貼り付ける場合には、可撓性基板２の一方の表面Ｓａ又は他方の表面Ｓｂに簡易ファスナー、粘着層或いは接着層を設置することができる。例えば、可撓性基板２に簡易ファスナーを設けておけば、着衣等への着脱が容易となる。そして、着衣の変形に応じて可撓性基板２も変形するので、第一磁性体３ａと人体との間の距離を接近させることができる。その結果、人体の患部に強い磁場を効率よく照射することができ、治療効果を一層向上させることができる。また、弱い磁場を照射する場合には、低消費電力で駆動することができる。
【００２８】
（第二実施形態）
図２は、本考案の第二実施形態に係る磁気治療器１の説明図である。図２（ａ）は、磁気治療器１をｚ方向から見る平面模式図であり、図２（ｂ）は、磁気治療器１の部分ＱＱの縦断面模式図であり、図１（ｃ）は、磁気治療器１を−ｚ方向から見る平面模式図である。
【００２９】
第一実施形態と異なる点は、可撓性基板２の一方の表面Ｓａに設置されるコイルユニット１０ａの他に、他方の表面Ｓｂに第二磁性体３ｂ及び第二コイル４ｂから成るコイルユニット１０ｂを備える点である。同一の部分又は同一の機能を有する部分には同一の符号を付している。
【００３０】
可撓性基板２、可撓性基板２の一方の表面Ｓａに設置される第一磁性体３ａ、第一コイル４ａ、電極端子６ａ、６ｂ、接続部１１及び貫通電極５ａ、５ｂは、第一実施形態と同様であり、説明を省略する。
【００３１】
磁気治療器１は、更に、可撓性基板２の他方の表面Ｓｂに、第一磁性体３ａに対向して設置される平板状の第二磁性体３ｂと、第二磁性体３ｂの周囲に沿って螺旋状に巻き回される平板状の第二コイル４ｂと、を備える。可撓性基板２の一方の表面Ｓａに、平面状の第一コイル４ａ及び平板状の第一磁性体３ａを含むコイルユニット１０ａが設置され、可撓性基板２の他方の表面Ｓｂに、平面状の第二コイル４ｂ及び平板状の第二磁性体３ｂを含むコイルユニット１０ｂが設置される。これにより、可撓性基板２を人体にフィットさせて装着することができる。
【００３２】
更に、第一及び第二コイル４ａ、４ｂに第一及び第二磁性体３ａ、３ｂから成る平板状の心材が設置されるので、第一及び第二磁性体３ａ、３ｂ近傍の磁束密度が増加する。その結果、人体の患部に強い磁場を照射することができ、治療効果を一層向上させることができる。
【００３３】
更に、本実施形態の磁気治療器１は、第一実施形態の磁気治療器１と同じ供給電流で略２倍の磁束密度を生成することができる。また、第一実施形態の磁気治療器１と同じ磁束密度を、第一実施形態の磁気治療器１の略１／２の供給電流で生成することができる。以下、具体的に説明する。
【００３４】
図２（ａ）及び図２（ｂ）に示すように、第二磁性体３ｂは、可撓性基板２の一方の表面Ｓａの垂直方向（ｚ方向）から見る平面視において、第一磁性体３ａと重なるように設置される。同様に、第二コイル４ｂは、同じ平面視において第一コイル４ａと重なるように設置される。
【００３５】
そして、同じ平面視において、第一コイル４ａの外周から内周に向かう回転の向きと、第二コイル４ｂの内周から外周に向かう回転の向きが同じである。更に、第一コイル４ａの内周端と第二コイル４ｂの内周端とが、可撓性基板２を貫通する貫通電極５ｂを介して電気的に接続する。
【００３６】
また、可撓性基板２の縁部に設置される２つの電極端子６ａ、６ｂのうち、一方の電極端子６ａは、第一コイル４ａの外周端に電気的に接続し、他方の電極端子６ｂは、貫通電極５ａを介して第二コイル４ｂの外周端に電気的に接続する。これにより、２つの電極端子６ａ、６ｂに電流を供給すると、第一コイル４ａと第二コイル４ｂは同じ向きの磁場を発生させる。
【００３７】
第二磁性体３ｂは、第一磁性体３ａと同様に平板状の常磁性体、強磁性体或いは反磁性体を使用することができ、図２（ｃ）に示すように、他方の表面Ｓｂの垂直方向（−ｚ方向）から見る平面視で長方形を有する。
【００３８】
第二磁性体３ｂとして、例えば鉄、コバルト、ニッケル或いはこれらの合金を使用することができる。第二磁性体３ｂは、可撓性基板２の他方の表面Ｓｂに接着剤等を用いて固定される。第二磁性体３ｂを薄く形成すれば可撓性とすることができ、可撓性基板２を人体に設置するときに、第二磁性体３ｂを人体の患部の表面に近接させることができる。なお、第二磁性体３ｂは、第一磁性体３ａと同様に長方形であることに限定されず、円形、楕円形、多角形等の曲線又は直線で囲まれる形であればよい。
【００３９】
図２（ｃ）に示すように、第二コイル４ｂは、第二磁性体３ｂの外周に沿って螺旋状に巻き回されて、可撓性基板２の他方の表面Ｓｂに設置される。製造方法等は第一実施形態と同様なので説明を省略する。なお、第二コイル４ｂは、他方の表面Ｓｂの垂直方向から見る平面視で長方形であることに限定されず、円形、楕円形、多角形等の曲線又は直線で囲まれる形であればよい。
【００４０】
２つの電極端子６ａ、６ｂに交流電流を供給すると、第一コイル４ａ及び第二コイル４ｂに同じ向きの交番磁場が発生する。これに伴って、第一磁性体３ａ及び第二磁性体３ｂは、表面の垂直方向及びその反対方向に反転する交番磁場が生成される。コイルに生成される磁場の強さは、コイルの巻き数にほぼ比例するので、第一実施形態において生成される磁場よりも強い磁場を生成することができる。
【００４１】
第一実施形態と同様に、可撓性基板２の一方の表面Ｓａ又は他方の表面Ｓｂに接着手段を設けることができる。磁気治療器１を人体に直接貼り付けることにより、可撓性基板２は人体の皮膚面に沿って変形し、第一及び第二磁性体３ａ、３ｂ、並びに第一及び第二コイル４ａ、４ｂを人体の患部に接近させることができる。これにより、人体の患部に強い磁場を効率よく照射することができ、治療効果を一層向上させることができる。
【００４２】
また、磁気治療器１を着衣等に貼り付ける場合には、可撓性基板２の一方の表面Ｓａ又は他方の表面Ｓｂに簡易ファスナー、粘着層或いは接着層を設置することができる。着衣の変形に応じて可撓性基板２も変形するので、第一及び第二磁性体３ａ、３ｂと人体との間の距離を接近させることができる。その結果、人体の患部に強い磁場を効率よく照射することができ、治療効果を一層向上させることができる。
【００４３】
なお、図２に示す磁気治療器１は、可撓性基板２の横幅が約６３ｍｍ、縦幅が約３４ｍｍ、厚さが約０．３ｍｍであり、第一磁性体３ａと第二磁性体３ｂの横幅がいずれも約２０ｍｍ、縦幅がいずれも約１０ｍｍ、厚さがいずれも約０．３ｍｍである。しかし、本考案において、各部材は上記寸法に限定されず、上記寸法よりも大きく形成してもよいし、小さく形成してもよい。
【００４４】
また、本考案においては、第一磁性体３ａ及び第二磁性体３ｂが同一形状であることに限定されず、例えば、第一磁性体３ａ及び第二磁性体３ｂの外形が異なっていてもよい。また、一方の表面Ｓａの垂直方向から見る平面視において、第一磁性体３ａに対して第二磁性体３ｂの位置がずれている、或いは、第一磁性体３ａと第二磁性体３ｂとが互いに重ならないように配置してもよい。
【００４５】
（第三実施形態）
図３は、本考案の第三実施形態に係る磁気治療器１の模式的な斜視図である。本実施形態においては、可撓性基板２の一方の表面Ｓａに第一磁性体３ａと第一コイル４ａから成るコイルユニット１０が複数設置される。同一の部分又は同一の機能を有する部分には同一の符号を付している。
【００４６】
図３に示すように、磁気治療器１は、可撓性基板２と、可撓性基板２の一方の表面Ｓａに設置される複数のコイルユニット１０ａ〜１０ｉと、を備える。各コイルユニット１０は、平板状の第一磁性体３ａと、第一磁性体３ａの周囲に沿って螺旋状に巻き回される平面状の第一コイル４ａと、を備える。なお、コイルユニット１０ｂ〜１０ｉでは第一磁性体３ａ及び第一コイル４ａを省略している。
【００４７】
可撓性基板２は、更に、可撓性基板２の外周部に複数の電極端子６を含む接続部１１を備える。接続部１１は、一方の表面Ｓａに設置される複数の電極端子６を含み、各電極端子６は、各コイルユニット１０に配線１３を介して電気的に接続する。従って、各コイルユニット１０は、独立に駆動することができる。可撓性基板２の材質や各コイルユニット１０を構成する第一磁性体３ａ及び第一コイル４ａの材質や形状は、第一実施形態と同様であり、説明を省略する。このように、可撓性基板２には複数のコイルユニット１０が設置されるので、磁気治療器１は人体の広い面積の患部に強い磁場を照射することが可能となる。
【００４８】
また、第一実施形態と同様に、可撓性基板２の一方の表面Ｓａ又は他方の表面Ｓｂに接着手段を設けることができる。磁気治療器１を人体に直接貼り付ける場合は、可撓性基板２の一方の表面Ｓａ又は他方の表面Ｓｂに粘着剤を設けることができる。粘着剤を介して可撓性基板２を人体に直接貼り付けることにより、可撓性基板２は人体の皮膚面に沿って変形し、コイルユニット１０ａ〜１０ｉを人体の広い面積の患部に接近させることができる。これにより、人体の広い面積の患部に強い磁場を効率よく照射することができ、治療効果を向上させることができる。
【００４９】
なお、本実施形態の磁気治療器１においても、第二実施形態の磁気治療器１と同様に、可撓性基板２の他方の表面Ｓｂに第二磁性体３ｂ及び第二コイル４ｂを設けることができる。つまり、可撓性基板２の他方の表面Ｓｂに、第一磁性体３ａに対向して平板状の第二磁性体３ｂを設置し、第二磁性体３ｂの周囲に沿って螺旋状に巻き回される平面状の第二コイル４ｂを設置することができる。この場合も、一方の表面Ｓａの垂直方向から見る平面視において、第一コイル４ａの外周から内周に向かう回転の向きと、第二コイル４ｂの内周から外周に向かう回転の向きとが同じであり、第一コイル４ａの内周端と第二コイル４ｂの内周端とが、可撓性基板２を貫通する貫通電極５ｂを介して電気的に接続される。
【００５０】
第一コイル４ａの外周端は、一方の表面Ｓａに形成される配線１３を介して接続部１１の電極端子６に電気的に接続する。第二コイル４ｂの外周端は、可撓性基板２を貫通する貫通電極５ａ、及び一方の表面Ｓａに形成される配線１３を介して、接続部１１の他の電極端子６に電気的に接続する。各コイルユニット１０において同様の構成である。従って、各コイルユニット１０を独立して駆動することができる。これにより、磁気治療器１は、強い磁場を広い領域に亘って生成することができる。
【００５１】
なお、本考案は、第二実施形態のように可撓性基板２の一方の表面Ｓａに形成されるコイルユニット１０と他方の表面Ｓｂに形成されるコイルユニット１０が重なるように配置することに限定されない。例えば、一方の表面Ｓａの垂直方向から見る平面視で、一方の表面Ｓａに設置する２つのコイルユニット１０の間に、他方の表面Ｓｂに設置するコイルユニット１０が位置するように配置してもよい。これにより、磁気治療器１は、可撓性基板２の表面に対し垂直方向を向く磁束密度の水平方向に対する分布を均等化することができる。
【００５２】
（第四実施形態）
図４は、本考案の第四実施形態に係る磁気治療器１のブロック図である。同一の部分又は同一の機能を有する部分には同一の符号を付している。
【００５３】
磁気治療器１は、可撓性基板２と、可撓性基板２の一方及び他方の表面Ｓａ、Ｓｂに設置される複数のコイルユニット１０と、各コイルユニット１０に交流電流を供給する駆動部１２と、を備える。各コイルユニット１０は、第三実施形態の図３に示すように、可撓性基板２の一方の表面Ｓａに設置される平板状の第一磁性体３ａと、同じ一方の表面Ｓａに設置され第一磁性体３ａの周囲に沿って螺旋状に巻き回される平面状の第一コイル４ａと、を備える。
【００５４】
駆動部１２は、乾電池やボタン電池から成る電池９と、各コイルユニット１０に交流電流を供給する制御部８と、を備える。制御部８は、入力するＤＣ電力をＡＣ電力に変換するＤＡ変換手段、周波数を設定する周波数設定手段、電流値を設定する電流設定手段、ＡＣ電力を所定の順序で各コイルユニット１０に切り替えて供給する切替手段等を備える。
【００５５】
駆動部１２は、例えば第三実施形態の図３に示す各コイルユニット１０を、コイルユニット１０ａ、コイルユニット１０ｂ・・・コイルユニット１０ｉのように所定の順序でオンオフ制御して駆動することができる。
【００５６】
（第五実施形態）
図５は、本考案の第五実施形態に係る磁気治療器１を人体に装着している様子を表す模式図である。磁気治療器１は、ベスト等の着衣７に固定され、人体に装着されている。磁気治療器１は、複数の可撓性基板２を備え、各可撓性基板２は、一方の表面Ｓａ（又は／及び他方の表面Ｓｂ）に複数のコイルユニット１０を備える。磁気治療器１は、更に、各可撓性基板２の図示しない電極端子６に駆動電力を供給する駆動部１２を備える。
【００５７】
各可撓性基板２は、一方の表面Ｓａ又は他方の表面Ｓｂに簡易ファスナー等からなる固定手段を備え、着衣７の布間に着脱可能に固定されている。同様に、駆動部１２も着衣７に固定されている。駆動部１２と各可撓性基板２は、図示しない配線等により電気的に接続されている。
【００５８】
可撓性基板２は、着衣７の変形に伴って変形するので、着衣７が人体に密着すれば可撓性基板２に設置される第一磁性体３ａ（又は／及び第二磁性体３ｂ）及び第一コイル４ａ（又は／及び第二コイル４ｂ）も人体に接近する。更に、第一コイル４ａ（又は／及び第二コイル４ｂ）に第一磁性体３ａ（又は／及び第二磁性体３ｂ）の心材を設置するので、心材近傍の磁束密度が増加する。
【００５９】
その結果、人体に強い磁場を照射することができ、人体に対する治療効果を向上させることができる。また、可撓性基板２を着衣７に着脱可能に固定するので、人体の患部の位置に応じて可撓性基板２の位置を変更することが可能となり、人体の患部に効率よく磁場を照射することが可能となる。
【００６０】
また、駆動部１２は、複数のコイルユニット１０を所定の時間に所定の周波数により所定の順序でオンオフ制御して駆動することができるので、患部を効果的に治療することが可能となる。
【００６１】
尚、図５に示した第五実施形態では、磁気治療器１をベスト等の着衣７に固定し、人体に装着する例を示したが、他の実施形態として、磁気治療器１をシーツ、毛布、布団、ひざ掛け等に固定するようにしてもよい。この場合、例えば磁気治療器１の各可撓性基板２に備えた簡易ファスナー等からなる固定手段が、シーツ等に脱着可能に固定される。駆動部１２についても同様である。シーツ等にポケット等の固定手段を設け、磁気治療器１をポケットに挿入する等して固定してもよい。磁気治療器１が固定されたシーツ等を使用することにより、磁気治療器１を人体に密着させることができ、人体に強い磁場を照射することができる。
【符号の説明】
【００６２】
１  磁気治療器
２  可撓性基板
３ａ  第一磁性体
３ｂ  第二磁性体
４ａ  第一コイル
４ｂ  第二コイル
５ａ、５ｂ  貫通電極
６ａ、６ｂ  電極端子
７  着衣
８  制御部
９  電池
１０、１０ａ〜１０ｉ  コイルユニット
１１  接続部
１２  駆動部
１３  配線
Ｓａ  一方の表面
Ｓｂ  他方の表面
【図１】
0003211124.tif 000003
【図２】
0003211124.tif 000004
【図３】
0003211124.tif 000005
【図４】
0003211124.tif 000006
【図５】
0003211124.tif 000007
【図６】
0003211124.tif 000008